(57)【要約】  【課題】  撮像装置にGPSを搭載する場合、その受信感度を確保する為にGPSアンテナの受信面は天空を向ける必要がある。しかし、機器の使用時、非使用時（携行時）それぞれに最適な位置にアンテナを配置し、かつ、操作性を向上させることが困難であるという問題があった。  【解決手段】  機器の使用時にも非使用時にも、GPSアンテナが天空を向くように構成された開閉自在なGPSアンテナ内蔵型の蓋を持つ撮像装置を提供する。【選択図】  図１
2012114873.tif 000002
【特許請求の範囲】
【請求項１】
撮影の開始と停止を制御するトリガーボタンを持ち、そのトリガーボタンの上方を覆い開閉自在に構成された蓋を持った撮像装置において、その蓋の中にGPSアンテナを設けた事を特徴とする撮像装置。
【請求項２】
蓋を開いたときにはGPSアンテナの受信面の方向が撮像レンズの光軸方向に垂直で、かつ、天空を向いていることを特徴とする請求項１に記載の撮像装置。
【請求項３】
蓋の開閉を検知する検知手段を設け、前記検知手段により蓋の開状態を検知した場合、GPSアンテナを起動することを特徴とする請求項１又は請求項２に記載の撮像装置。
【請求項４】
蓋を閉じたときには、GPSアンテナの受信面の方向がショルダーベルトを取り付けて撮像装置を携行したときに天空を向く事を特徴とする請求項１乃至請求項３のいずれか１項に記載の撮像装置。
【請求項５】
GPSアンテナの起動を行う手段をもつことを特徴とする請求項１乃至請求項４のいずれか１項に記載の撮像装置。
【発明の詳細な説明】
【技術分野】
【０００１】
本発明は良好な受信感度を確保するGPSアンテナの撮像装置への配置に関する。
【背景技術】
【０００２】
近年、撮像装置にGPS（Global Positioning System ）アンテナを搭載して、受信した測位情報から得られる撮影者及び被写体の位置情報を記録媒体に記録する技術がある。
【０００３】
上記撮像装置において、GPSアンテナはその受信性能を確保する為に天空に向けて配置する必要がある。
【０００４】
一方，小型化の進む撮像装置においては，常に天空を向く位置にアンテナを配置することが困難であり、従来は撮像装置のショルダーベルトの肩当にGPSアンテナを配置したものや（特許文献１参照）、機器を持ち運びするためのハンドル部にGPSアンテナを配置した物が提案されている（特許文献２参照）。
【０００５】
これらの提案はおもに機器の携行中、いわゆる機器の非使用時にGPS信号の受信を行うことを目的としているが、機器の使用中にもGPS信号の受信を良好に行うことを目的とした提案として、折りたたみ構造のある携帯型無線端末において、折りたたみの回転運動に連動してGPSアンテナが回転するという提案がある（特許文献３参照）。
【先行技術文献】
【特許文献】
【０００６】
【特許文献１】特開２００１−２２８５２７号公報
【特許文献２】特開平７−１２０２７０号公報
【特許文献３】特許第０４００７００８号明細書
【発明の概要】
【発明が解決しようとする課題】
【０００７】
しかしながら上述したような従来技術よりショルダーベルトをはずすと使用する事が出来ない。
【０００８】
機器の使用時には通常、ショルダーベルトは肩から外されていて、GPSアンテナが天空を向いていないため、受信することが困難である。
【０００９】
GPSアンテナを搭載するハンドル部は機器の大型化を招く。
【００１０】
GPS信号を受信しているかどうかが分かりづらいため操作性が劣る。
【００１１】
GPSアンテナを機器の内部で回転する構造が複雑でコストアップとなる。
という問題点があった。
【課題を解決するための手段】
【００１２】
上記課題を解決するための手段として
（１）撮影の開始と停止を制御するトリガーボタンを持ち、そのトリガーボタンの上方を覆い開閉自在に構成された蓋を持った撮像装置において、その蓋の中にGPSアンテナを設けた事を特徴とする撮像装置。
（２）（１）に記載の撮像装置において、蓋を開いたときにはGPSアンテナの受信面の方向が撮像レンズの光軸方向に垂直で、かつ、天空を向いていることを特徴とする撮像装置。
（３）（１）又は（２）に記載の撮像装置において、蓋の開閉を検知する検知手段を設け、前記検知手段により蓋の開状態を検知した場合、GPSアンテナを起動することを特徴とする撮像装置。
（４）（１）乃至（３）のいずれかに記載の撮像装置において、蓋を閉じたときには、GPSアンテナの受信面の方向がショルダーベルトを取り付けて撮像装置を携行したときに天空を向く事を特徴とする撮像装置。
（５）（１）乃至（４）のいずれかに記載の撮像装置において、GPSアンテナの起動を行う手段をもつことを特徴とする撮像装置。
【発明の効果】
【００１３】
以上説明したように本発明によれば、
開閉自在でGPSアンテナを内蔵した蓋を安価な構造で提供することで、機器の使用時にはアンテナを開き受信面を天空に向けることができるのでGPS信号の良好な受信が可能となり操作性が向上する。蓋が開いていてトリガーボタンが露出していることで撮影準備が完了し、GPSアンテナが起動していることが一目でわかるため操作性が向上する。撮像装置の携行時（非使用時）においても、蓋を閉じて撮像装置に装着したショルダーベルトで撮像装置を肩からぶら下げた状態でもGPSアンテナの受信面が天空を向き、この状態でGPSアンテナ起動手段を使用することでGPS電波の良好な受信が可能となり操作性が向上する。ハンドルなどの別な部位を使用せず撮像装置本体の一部にGPSアンテナが内蔵されているため機器の小型化に寄与する。GPSアンテナの受信のためにショルダーベルトなどを必要としないため機器の携行時のわずらわしさが無いという効果がある。
【図面の簡単な説明】
【００１４】
【図１】本発明による撮像装置の外観斜視図
【図２】本発明による撮像装置を携行するときの図
【図３】本発明によるGPS蓋が閉じたときの部分断面図
【図４】本発明によるGPS蓋の回転途中の部分断面図
【図５】本発明によるGPS蓋が開いたときの部分断面図
【図６】本発明を説明したブロック図
【図７】本発明を説明したフローチャート図
【図８】本発明による撮像装置で撮影を行っているときの図
【発明を実施するための形態】
【００１５】
［実施例］
図１から図８は本発明の実施例をもっともよく表した撮像装置本体の外観図と部分断面図、および、ブロック図とフローチャートである。
【００１６】
図１より、１は撮像装置本体、３は液晶パネルなどの映像表示デバイスであり２の画像表示装置筐体内に固定されていて、撮像レンズ９を通して得た映像を映し出すことができる。また、６は画像表示装置筐体２と撮像装置本体１を回転自在に連結するヒンジ部であり、７はヒンジの回転軸である。画像表示装置筐体２は、回転軸７によって矢印Ａ方向に回転可能であり、１０は開閉自在なGPSアンテナ内蔵型の蓋であり、矢印ＦがGPSの受信方向である。そして１１は、GPS蓋１０を開いたときに現れる撮影の開始と停止を制御するトリガーボタンであり、４０はGPSアンテナを起動するスイッチである。
【００１７】
図８にユーザー５０が撮像装置を把持して撮影を行うときの一般的な姿勢について示す。このときの撮像装置は図１の撮像装置を矢印Ｄ方向から見たときの図である。
【００１８】
ユーザー５０は映像表示デバイス３の画像を確認しながら撮影を行うが、このときの撮像レンズ９の光軸方向３０は、ユーザー５０の視線５１の方向とほぼ一致する姿勢をとることが多い。なぜなら、ユーザー５０はその肉眼で不図示の被写体の動きを確認しつつ、映像表示デバイスを見ながら撮影を行うので、被写体と表示が同じ視線上にある方が操作がし易いからである。そしてかつ、人の視線は地上に対して平行であることが自然であり、必然的に光軸方向３０も地上に対して平行となる。そうしたとき、開かれたGPS蓋１０の受信方向Ｆの方向は天空を向くように構成されているため、GPS電波の受信を良好に行うことができる。
【００１９】
次に、ユーザーが撮像装置を携行するときの状態を図２に示す。
【００２０】
図２の撮像装置は図１の画像表示装置筐体２を回転軸７によって矢印Ｃ方向に回転させて閉じ、かつ、GPS蓋１０を閉じたときの形態となる。
【００２１】
ここで３１、３２はショルダーベルト３３を撮像装置本体１に取り付けるための通し穴であり、撮影者はショルダーベルト３３を肩に掛けて撮像装置本体１を携行する時に使用する。
【００２２】
このように、ユーザーがショルダーベルトを用いて撮像装置を携行するときには、撮像装置はその自重によりショルダーベルトから垂れ下がるような状態となるが、このとき、GPS蓋１０のGPS受信面は矢印Ｆ方向を向いており、結果として天空を向くようになって、GPS電波の良好な受信が可能となる。ユーザーはこの状態でも適時GPS起動スイッチ４０を操作することでGPS電波の受信を行うことができる。
【００２３】
ここで、GPS蓋１０部の断面図を図３から図５に示す。
【００２４】
図３より、GPS蓋１０は軸１６を回転中心として矢印Ｅ方向に回転自在に構成されている。軸１６は撮像装置本体１のカバーに固定されている。さらに、１２はGPSアンテナであり、矢印Ｆが受信面の方向である。そして１３はGPSアンテナを実装した配線基板、１４は配線基板１３をGPS蓋１０に固定する固定部材である。
【００２５】
また、GPS蓋１０は板バネ１８によって軸１６の周囲で矢印Ｄ方向の力を受けている。ここで、板バネ１８は締結ビス２４によって撮像装置本体１のカバーにビス止めされている。これによって図３のようにGPS蓋１０が閉じているときにはGPS蓋１０に形成された３４の部分が負勢されていて、GPS蓋１０は閉じ方向に力が掛かり閉じた状態が保持され、図５のようにGPS蓋１０が開いているときには３６の部分が負勢されていて、GPS蓋１０は開いた状態を保つ。
【００２６】
ここでGPS蓋１０を開くときには、その引っ掛け爪１７に指をかけながら回転させる。このときGPS蓋１０に形成された３５の部分は３４，３６の部分に比べて軸１６の中心からの距離が離れているため、板バネ１８のたわみ量が図３の閉じ状態から図４の状態に回転するまでの間で徐々に大きくなり、よって、軸１６の周りに与える力が大きくなる。逆に図４の状態から図５の状態に回転するまでの間で板バネ１８のたわみ量は徐々に小さくなるので、軸１６の周りに与える力は小さくなっていく。これは、GPS蓋１０の回転するときのトルク値の変化として考えることができ、GPS蓋１０は図３の状態から図４の状態になるまではその回転トルクが徐々に大きくなり、図４の状態を通り過ぎると今度は逆にその回転トルクは小さくなっていく。これによって、GPS蓋１０がメリハリのある動きが可能となる。
【００２７】
次にGPS蓋１０を開けたときに内部に構成されている操作系について説明する。
【００２８】
図３より、１９と２１は電気接点を持ったプッシュスイッチであり、特に２１はその先端部２２が撮像装置本体１の外装から外部に露出している。これらのプッシュスイッチはプリント配線基板２０に実装されており、プッシュスイッチ１９はトリガーボタン１１の押下によって電気信号を発生し、プッシュスイッチ２１はGPS蓋１０の開閉動作に対応して先端部２２が動作することで電気信号を発生する。特にプッシュスイッチ２１は図３のときには先端部２２がGPS蓋１０に形成された部位２３によって押下され、図５のときには部位２３が離れているので先端部２２は開放された状態となる。このようにプッシュスイッチ２１はGPS蓋が開いているか閉じているかを検出する検出スイッチと言うことになる。ここで発生した信号は不図示の電気接続線によって撮像装置本体１の電気システムに電送される。
【００２９】
以上の撮像装置本体１内部の信号の流れを図６のブロック図で説明する。
【００３０】
レンズ部１０１を通った入射光が撮像部（１０２）に到達すると、入射した光は電気信号に変換され信号処理部（１０３）に送られ、システムコントローラー（１０６）に送信される。そして、システムコントローラー（１０６）は信号処理部（１０３）から得られた情報をもとにレンズ制御部（１０４）に指示を出し焦点距離を算出し、レンズ部（１０１）の制御を行う。こうして得られた映像信号をもとにシステムコントローラー（１０６）は表示信号処理部（１０９）に画像表示のための信号を送り表示装置（１１０）にその情報を送信する。
【００３１】
また、GPS蓋(１０５)が開いているかどうかをGPS蓋開閉検出スイッチ（１０７）で検出し、その信号をシステムコントローラー（１０６）に送信する。これによってシステムコントローラー（１０６）はGPS蓋（１０５）が開いていると判断したら、GPS蓋（１０５）に内蔵されているGPSアンテナ（１１２）を起動しGPS信号の受信を始める。また、GPS蓋（１０５）が閉じているときにも、GPS起動スイッチ（１１３）を操作することでGPS信号の受信を始める。ここで得られたGPS信号はシステムコントローラー（１０６）を経由してGPS信号処理部（１０８）に送られその処理結果はGPS信号処理結果保持部（１１１）に保存される。
【００３２】
以上の流れを次に図７に示すフローチャートで説明する。
【００３３】
GPS信号処理ルーチン（Ｓ１０）より、まずGPS蓋が開いているかどうかを検出する（Ｓ１１）。GPS蓋が開いている場合にはGPSアンテナを起動させ（Ｓ１２）、GPS信号の処理を行い（Ｓ１３）、GPS信号処理結果を保持する（Ｓ１４）。また、GPS蓋が閉じていても、GPS起動スイッチがＯＮされたかどうかを確認し（Ｓ１５）、ＯＮされていればＧＰＳアンテナを起動するシーケンスへと移行する。
【００３４】
以上説明したように本発明によれば、開閉自在でGPSアンテナを内蔵した蓋を安価な構造で提供することで、機器の使用時にはアンテナを開き受信面を天空に向けることができるのでGPS信号の良好な受信が可能となり操作性が向上し、かつ、蓋が開いていてトリガーボタンが露出していることで撮影準備が完了し、GPSアンテナが起動していることが一目でわかるため操作性が向上し、かつ、撮像装置の携行時（非使用時）においても、蓋を閉じて撮像装置に装着したショルダーベルトで撮像装置を肩からぶら下げた状態でもGPSアンテナの受信面が天空を向き、この状態でGPSアンテナ起動手段を使用することでGPS電波の良好な受信が可能となり操作性が向上し、かつ、ハンドルなどの別な部位を使用せず撮像装置本体の一部にGPSアンテナが内蔵されているため機器の小型化に寄与し、かつ、GPSアンテナの受信のためにショルダーベルトなどを必要としないため機器の携行時のわずらわしさが無いという効果がある。
【符号の説明】
【００３５】
１、撮像装置本体
２、画像表示装置筐体
３、映像表示デバイス
４、突出部
６、ヒンジ部
７、ヒンジの回転中心
９、撮像レンズ
１０、GPS蓋
１１、トリガーボタン
１２、GPSアンテナ
１３、配線基板
１４、配線基板を保持する部材
１６、回転軸
１７、引っ掛け爪
１８、板バネ
１９、２１、プッシュスイッチ
２２、スイッチ先端部
２３、部位
２４、ビス
３０、光軸
３１、３２、ショルダーベルト通し穴
３３、ショルダーベルト
４０、GPS起動スイッチ
５０、ユーザー
【図１】
2012114873.tif 000003
【図２】
2012114873.tif 000004
【図３】
2012114873.tif 000005
【図４】
2012114873.tif 000006
【図５】
2012114873.tif 000007
【図６】
2012114873.tif 000008
【図７】
2012114873.tif 000009
【図８】
2012114873.tif 000010